(57)【要約】【課題】透明加温プレートをステージから着脱することなく、その下面がステージに対向する姿勢とステージ上から退避する姿勢に動作させることが可能な透明加温プレート支持装置を提供する。【解決手段】透明加温プレートＰを対向姿勢からステージＳ上から退避する姿勢とする。そして、フラスコＦをステージＳに載置し、左右前後方向等へ動かして、フラスコＦ内の観察対象としての細胞を図示しない対物レンズに対向させて観察を行う。透明加温プレートＰを退避姿勢とすることで、ステージＳ上に障害物が無くなり、フラスコＦをいずれの方向にも自由にスライドさせることが可能となる。【選択図】  図３
2017146397.tif 000002
【特許請求の範囲】
【請求項１】
顕微鏡のステージに設置して用いる透明加温プレートを支持する透明加温プレート支持装置において、前記透明加温プレートを、その下面が前記ステージに対向する対向姿勢と前記ステージから離間してステージ上から退避する退避姿勢との間で動作可能に支持するものであることを特徴とする透明加温プレート支持装置。
【請求項２】
請求項１に記載した透明加温プレート支持装置において、透明加温プレート支持装置は、ステージ側に設けられたベース部と、前記ベース部に設けられ、ステージに沿う方向に並んで、且つ互いに間隔を開けて対向する一対の保持穴と、透明加温プレート側に設けられ前記一対の保持穴に対し回動自在に支持される回動部とから成ることを特徴とする透明加温プレート支持装置。
【請求項３】
請求項２に記載した透明加温プレート支持装置において、回動部は一対の球面部を有し、前記一対の球面部の少なくとも一方は弾性体によって保持穴の縁部に対し圧接させられていることを特徴とする透明加温プレート支持装置。
【請求項４】
請求項３に記載した透明加温プレート支持装置において、一対の球面部の少なくとも一方を保持穴の縁部に対し進行後退させる調節手段を具備することを特徴とする透明加温プレート支持装置。
【発明の詳細な説明】
【技術分野】
【０００１】
本発明は顕微鏡のステージ上に透明加温プレートを支持する透明加温プレート支持装置に関するものである。
【背景技術】
【０００２】
特許文献１に記載された顕微鏡には透明加温プレートが示されている。この透明加温プレートは顕微鏡のステージに備えられて細胞等の観察対象を加温しながら観察することを可能とするものである。透明加温プレート十字動装置を介してステージに取り付けられている。
【先行技術文献】
【特許文献】
【０００３】
【特許文献１】特開平１１−１４２７４９
【発明の概要】
【発明が解決しようとする課題】
【０００４】
ところで、透明加温プレートをステージに取り付けてしまうと、ステージ上で観察対象が収容された容器を広い範囲で動かすことができないと不都合が生じる場合がある。例えば、細胞をフラスコに収容して培養した場合は、観察対象がフラスコ内に多数点在することになるため、適当な観察対象を探すためフラスコを持ってステージ上で大きくスライドさせる必要がある。しかしながら、透明加温プレートがステージに備えられていたのでは、フラスコをスライドさせることができなくなってしまう。
一方、細胞を収容したディッシュを透明加温プレートに載置して加温しながら観察を行いたい場合には、透明加温プレートをステージに装着する必要がある。
上記のように、ステージに対し透明加温プレートを付けたい場合と、外したい場合があるが、透明加温プレートをステージに対し着脱する作業はかなり面倒である。
【０００５】
本発明は上記従来の問題点に着目して為されたものであり、透明加温プレートをステージから着脱することなく、その下面がステージに対向する姿勢とステージ上から退避する姿勢に動作させることが可能な透明加温プレート支持装置の提供を、その目的とする。
【課題を解決するための手段】
【０００６】
本発明は上記課題を解決するためになされたものであり、請求項１の発明は、顕微鏡のステージに設置して用いる透明加温プレートを支持する透明加温プレート支持装置において、前記透明加温プレートを、その下面が前記ステージに対向する対向姿勢と前記ステージから離間してステージ上から退避する退避姿勢との間で動作可能に支持するものであることを特徴とする透明加温プレート支持装置である。
【０００７】
請求項２の発明は、請求項１に記載した透明加温プレート支持装置において、透明加温プレート支持装置は、ステージ側に設けられたベース部と、前記ベース部に設けられ、ステージに沿う方向に並んで、且つ互いに間隔を開けて対向する一対の保持穴と、透明加温プレート側に設けられ前記一対の保持穴に対し回動自在に支持される回動部とから成ることを特徴とする透明加温プレート支持装置である。
【０００８】
請求項３の発明は、請求項２に記載した透明加温プレート支持装置において、回動部は一対の球面部を有し、前記一対の球面部の少なくとも一方は弾性体によって保持穴の縁部に対し圧接させられていることを特徴とする透明加温プレート支持装置である。
【０００９】
請求項４の発明は、請求項３に記載した透明加温プレート支持装置において、一対の球面部の少なくとも一方を保持穴の縁部に対し進行後退させる調節手段を具備することを特徴とする透明加温プレート支持装置である。
【発明の効果】
【００１０】
本発明の透明加温プレートによれば、透明加温プレートをステージから着脱することなく、その下面がステージに対向する姿勢とステージ上から退避する姿勢に動作させることが可能となる。従って、透明加温プレートをステージに対し着脱する面倒な作業を行う必要がなくなる。
【図面の簡単な説明】
【００１１】
【図１】本発明の実施の形態に係る透明加温プレート支持装置に支持される透明加温プレートを、その下面がステージに対向する対向姿勢とした状態の斜視図である。
【図２】図１のＡ−Ａ断面図である。
【図３】本発明の実施の形態に係る透明加温プレート支持装置に支持される透明加温プレートをステージ上から退避する退避姿勢とした状態の斜視図である。
【図４】図３に対応する側面図である。
【図５】その他の実施の形態に係る図２に対応する図である。
【発明を実施するための形態】
【００１２】
本発明の実施の形態に係る透明加温プレート支持装置１を図面にしたがって説明する。
この透明加温プレート支持装置１は顕微鏡のステージＳに透明加温プレートＰを支持するものである。
透明加温プレート支持装置１の構成を説明する。
符号３、５は一対の支持ブロックを示し、支持ブロック３、５は透明加温プレートＰに備えられている。支持ブロック３、５は矩形の枠部Ｐａの背面側の長辺部Ｐｂに固定されている。支持ブロック３、５は長辺部Ｐｂに形成された浅い凹部に嵌り込み、長辺部Ｐｂの下面から挿入されたピン８によって固定されている。
支持ブロック３、５は互いに間隔を開けて対向しており、その対向面には丸穴によって構成される保持穴３ａ、５ａが形成されている。保持穴３ａ、５ａにはボールプランジャ７、９が収容されている。
【００１３】
ボールプランジャ７、９はそれぞれ収容穴７ａ、９ａを有するホルダ７ｂ、９ｂ、ホルダ７ｂ、９ｂに収容された弾性体としてのコイルバネ７ｃ、９ｃ及び回動部としての金属製のボール７ｄ、９ｄから成る。ボール７ｄ、９ｄの一部である球面部が収容穴７ａ、９ａの開口から露出しており、且つコイルバネ７ｃ、９ｃによって外方向へ付勢されている。収容穴７ａ、９ａの開口はボール７ｄ、９ｄの直径より小さく設定されているので、ボール７ｄ、９ｄは収容穴７ａ、９ａの開口の内側の縁部に圧接した状態となっている。
【００１４】
ステージＳの後方には固定ブロックＳａが設けられ、この固定ブロックＳａにはベース部としての平面視がコの字状のブラケット１１が固定されている。このステージＳ側に設けられたブラケット１１は間隔を開けて互いに対向する一対の対向板１３、１５を有している。対向板１３、１５には保持穴１３ａ、１５ａがそれぞれ形成されている。保持穴１３ａ、１５ａの直径はボール７ｄ、９ｄの収容穴７ａ、９ａの開口からの露出部の径寸法より小さく設定されている。
透明加温プレート支持装置１は以上のように構成されている。
【００１５】
透明加温プレート支持装置１の使用方法を説明する。
まず、透明加温プレートＰを持って、支持ブロック３、５をブラケット１１の一対の対向板１３、１５の外側面に嵌めて、ボール７ｄ、９ｄの収容穴７ａ、９ａの開口からの露出部を保持穴１３ａ、１５ａに入れる。前述のようにボール７ｄ、９ｄはコイルバネ７ｃ、９ｃの付勢力に抗して収容穴７ａ、９ａの奥部側へ僅かに移動し、保持穴１３ａ、１５ａの縁部に圧接する。これにより、透明加温プレートＰが透明加温プレート支持装置１を介してステージＳ側の固定ブロックＳａに保持される。これにより透明加温プレートＰはボール７ｄ、９ｄを介して保持穴１３ａ、１５ａに対し回動自在に支持されることになる。
【００１６】
図１に示すように、ボール７ｄ、９ｄを支点として透明加温プレートＰをステージＳに向かって回動させ、透明加温プレートＰの下面がステージＳに対向する対向姿勢にする。
対向姿勢にした透明加温プレートＰはステージＳの図示しない開口を塞ぐ状態となる。そして、透明加温プレートＰにウェルプレートＷを載置し、ウェルプレートＷに収容された観察対象としての細胞が加温される。そして、開口の下方に備えられた光源から光が照射され、開口の上方に備えられた図示しない対物レンズを観察対象に対向させて観察を行う。
なお、ステージＳが駆動ステージである場合には、透明加温プレートＰの前面側の長辺部Ｐｃの下面に貼付された滑り材Ｐｄがステージと摺接する。
【００１７】
また、透明加温プレートＰを図１の対向姿勢から、図３、図４に示すように、ステージＳ上から退避する姿勢とする。
そして、フラスコＦをステージＳに載置し、左右前後方向等へ動かして、フラスコＦ内の観察対象としての細胞を図示しない対物レンズに対向させて観察を行う。透明加温プレートＰを退避姿勢とすることで、ステージＳ上に障害物が無くなり、フラスコＦをいずれの方向にも自由にスライドさせることが可能となる。
【００１８】
このように透明加温プレート支持装置１によれば、透明加温プレートＰをステージＳから着脱することなく、その下面がステージＳに対向する姿勢とステージＳ上から退避する姿勢に動作させることが可能となる。従って、透明加温プレートＰをステージＳから着脱する面倒な作業を行う必要がなくなる。
【００１９】
図５にその他の実施の形態に係る透明加温プレート支持装置２１を示す。
この透明加温プレート支持装置２１は上記実施の形態に係る透明加温プレート支持装置１とほぼ同様の構成を有するので、異なる構成部分についてのみ説明し、透明加温プレート支持装置１と同様の構成部分については上記実施の形態で用いた符号を付して、その説明を省略する。
【００２０】
符号２３は支持ブロックを示し、この支持ブロック２３には貫通穴２５が形成されている。貫通穴２５には雌ネジが形成され、この雌ネジには雄ネジ２７が螺合されている。図５において雄ネジ２７の左端部は摘み部２９が形成され、この摘み部２９が支持ブロック２３の左側面から突出している。また雄ネジ２７の右端部にはボールホルダ３１が固定され、ボールホルダ３１の右端部には球面部３３が露出している。
この透明加温プレート支持装置２１では摘み部２９を回して、雄ネジ２７と共にボールホルダ３１を進行後退させて、球面部３３を保持穴１３ａに当接させたり、当接を解除したりする。
【００２１】
以上、本発明の実施の形態について詳述してきたが、具体的構成は、この実施の形態に限られるものではなく、本発明の要旨を逸脱しない範囲における設計の変更などがあっても発明に含まれる。
例えば、本発明の透明加温プレート支持装置は、倒立顕微鏡、正立顕微鏡等、顕微鏡のタイプを問わず使用することが可能である。
【産業上の利用可能性】
【００２２】
本発明の透明加温プレート支持装置は理化学機器製造業において利用可能性を有し、顕微鏡のステージに設置して用いる透明加温プレートをステージから着脱することなく、その下面がステージに対向する姿勢とステージ上から退避する姿勢に動作させることを可能とするものである。
【符号の説明】
【００２３】
１…透明加温プレート支持装置        ３、５…支持ブロック
３ａ、５ａ…保持穴                  ７、９…ボールプランジャ
７ａ、９ａ…収容穴                  ７ｂ、９ｂ…ホルダ
７ｃ、９ｃ…コイルバネ              ７ｄ、９ｄ…金属製のボール
７ｄ、９ｄ…ボール                  ８…ピン
１１…ブラケット                    １３、１５…対向板
１３ａ、１５ａ…保持穴              ２１…透明加温プレート支持装置
２３…支持ブロック    ２５…貫通穴            ２７…雄ネジ
２９…摘み部          ３１…ボールホルダ      ３３…球面部
Ｓ…ステージ          Ｓａ…固定ブロック      Ｐ…透明加温プレート
Ｐａ…枠部            Ｐｂ…背面側の長辺部    Ｐｃ…前面側の長辺部
Ｐｄ…滑り材          Ｗ…ウェルプレート      Ｆ…フラスコ
【図１】
2017146397.tif 000003
【図２】
2017146397.tif 000004
【図３】
2017146397.tif 000005
【図４】
2017146397.tif 000006
【図５】
2017146397.tif 000007